(57)【特許請求の範囲】
【請求項１】
ネットワークに接続し、放送番組の番組情報を表示するネットワーク端末システムであって、
表示装置と端末装置とを具備し、
前記表示装置は、放送波から番組の番組情報を抽出する第一の番組情報抽出手段と、番組を表示する表示手段と、前記第一の番組情報抽出手段から抽出された番組情報により番組を特定する手段と、前記表示装置において前記番組情報から番組予約を行う第一の番組予約手段と、前記第一の番組予約手段により番組予約された番組を示す識別情報または前記第一の番組予約手段の予約情報を前記端末装置に送信する第一の送信手段と、前記端末装置から情報を受信する第一の受信手段と、前記端末装置を認証する第一の機器認証手段とを備え、
前記端末装置は、前記表示装置とネットワークにより接続され、前記識別情報または第一の番組予約手段の予約情報を受信する第二の受信手段と、前記表示装置に対して情報を送信する第二の送信手段と、放送波から番組の番組情報を抽出する第二の番組情報抽出手段と、前記第二の番組情報抽出手段から抽出された番組情報により電子番組表を作成する電子番組表作成手段と、受信した前記識別情報で識別される番組の番組欄と前記識別情報が受信されていない番組の番組欄との表示方法を変える制御手段と、前記端末装置において前記電子番組表の番組情報に基づく予約情報または前記第一の番組予約手段の予約情報を表示して番組予約を行う第二の番組予約手段と、前記電子番組表を表示する番組表表示手段と、認証情報を生成する第二の機器認証手段とを備え、
前記第二の送信手段は前記認証情報を前記表示装置に送信し、
前記第一の受信手段は前記認証情報を受信し、
前記第一の機器認証手段は、前記認証情報により前記端末装置を認証し、
前記第二の受信手段は、前記認証が成功した場合に、前記識別情報または前記第一の番組予約手段による前記予約情報を受信し、
前記第二の番組予約手段は、前記認証が成功しなかった場合に、前記第二の番組予約手段による前記番組予約の内容を記憶手段に一時保存し、
前記番組予約の内容を前記記憶手段に一時保存した後、前記認証が成功した場合に、前記記憶手段に保存された前記番組予約を前記第一の番組予約手段による番組予約として登録する手段を備えることを特徴とするネットワーク端末システム。
【請求項２】
前記制御手段が変える表示方法とは、前記電子番組表の前記識別情報で識別される番組の番組欄に固有の識別表示を付加することであることを特徴とする請求項１記載のネットワーク端末システム。
【請求項３】
前記端末装置は入力手段を備え、
前記第二の番組予約手段は、前記識別情報により識別された番組が前記入力手段により選択された場合は前記第一の番組予約手段の予約情報を表示し、前記識別情報が表示されていない番組が前記入力手段により選択された場合は前記電子番組表の番組情報に基づく予約情報を表示する手段を備えたことを特徴とする請求項１記載のネットワーク端末システム。
【請求項４】
放送波から番組情報を抽出し、抽出した前記番組情報により番組を特定または予約をする接続機器から、特定された番組を識別するための識別情報または前記接続機器により予約された番組の識別情報を含む予約情報を受信する受信手段と、前記接続機器に対して情報を送信する送信手段と、放送波から番組の番組情報を抽出する番組情報抽出手段と、前記番組情報抽出手段から抽出された番組情報により電子番組表を作成する電子番組表作成手段と、前記識別情報で識別される番組の番組欄と前記識別情報に含まれない番組の番組欄との表示方法を変える制御手段と、前記電子番組表に前記識別情報を表示する識別情報表示手段と、前記電子番組表の番組情報に基づく予約情報または前記予約情報を表示し番組予約を行なう番組予約手段と、前記電子番組表を表示する表示手段と、認証情報を生成する機器認証手段と、を備え、
前記送信手段は、前記認証情報を前記接続機器に送信し、
前記受信手段は、前記接続機器において前記認証情報による認証が成功した場合に前記識別情報または前記接続機器による前記予約情報を受信し、
前記番組予約手段は、前記接続機器において前記認証情報による認証が成功しなかった場合に、前記番組予約手段による前記番組予約の内容を記憶手段に一時保存し、
前記番組予約の内容を前記記憶手段に一時保存した後、前記認証が成功した場合に、前記記憶手段に保存された前記番組予約を前記接続機器における番組予約として前記接続機器に登録する手段を備えることを特徴とする端末装置。
【発明の詳細な説明】
【技術分野】
【０００１】
本発明は、ネットワーク端末システム、及び端末装置に関する。
【背景技術】
【０００２】
本技術分野の背景技術として、特開２００９−０５５６１４号公報（特許文献１）がある。この公報には、「リモコンと操作対象機器の間で双方向の通信が可能であることから、送達確認により確実な通信を行なったり、ＧＵＩ操作を活用した複雑なコマンド体系を取り扱ったり、比較的広い帯域を利用して動画像ストリーミングなど大容量データ伝送を行なうことができる。」と記載がある。
【０００３】
また、特開２０１０−１３０４４５号公報（特許文献２）がある。この公報には、「デジタル放送の表示装置と、タッチパネル等の表示手段を備えたリモートコントローラ装置とを備えた視聴システムを用いる。この視聴システムの表示装置は、デジタル放送の画像データを表示する表示手段により表示し、文字データ処理手段により文字データを取得する。この文字データは、送受信手段により、リモートコントローラ装置により送信する。リモートコントローラ装置は、この文字データを受信する送受信手段と、文字データを表示する表示手段とを備えている。」と記載されている。
【先行技術文献】
【特許文献】
【０００４】
【特許文献１】特開２００９−０５５６１４号公報
【特許文献２】特開２０１０−１３０４４５号公報
【発明の概要】
【発明が解決しようとする課題】
【０００５】
前記特許文献１には、ネットワークに接続された無線リモコンにより、表示装置で受信した番組情報を無線リモコン側に転送し、無線リモコン側でＥＰＧを表示する方法が開示されている。しかしながら、特許文献１に記載の発明の場合、表示装置側の番組情報を使用するため、番組情報のデータ転送量が多くなり、全データを一度に取得できないために表示が遅くなったりするなどの問題があった。また、テレビで視聴している番組や録画予約済みの番組の確認方法が開示されていない。さらには録画予約を変更する場合の方法が開示されていない。
【０００６】
特許文献２には、表示装置からリモコンに、番組情報、操作情報を送信し、リモコンでＥＰＧを表示し、選局、予約などを行う実施例が開示されている。しかしながら、特許文献２に記載の発明の場合、表示装置側の番組情報や操作情報を使用するため、番組情報のデータ転送量が多くなり、全データを一度に取得できないために表示が遅くなったりするなどの問題があった。
【０００７】
本発明は、上述の問題点に鑑みてなされたものであり、その目的は、視聴者がテレビ放送を視聴しているときに、テレビの視聴を妨げないで視聴している番組や番組予約している番組を端末装置側で簡単に表示できるネットワーク端末システム、及び端末装置を提供することにある。
【課題を解決するための手段】
【０００８】
上記課題を解決するために、例えば特許請求の範囲に記載の構成を採用する。
本願は上記課題を解決する手段を複数含んでいるが、その一例を挙げるならば、本発明に係るネットワーク端末システムは、表示装置と端末装置とを具備し、前記表示装置は、放送波から番組の番組情報を抽出する第一の番組情報抽出手段と、番組を表示する表示手段と、前記第一の番組情報抽出手段から抽出された番組情報により番組を特定する手段と、前記表示装置において前記番組情報から番組予約を行う第一の番組予約手段と、前記第一の番組予約手段により番組予約された番組を示す識別情報または前記第一の番組予約手段の予約情報を前記端末装置に送信する第一の送信手段と、前記端末装置から情報を受信する第一の受信手段と、前記端末装置を認証する第一の機器認証手段とを備え、前記端末装置は、前記表示装置とネットワークにより接続され、前記識別情報または第一の番組予約手段の予約情報を受信する第二の受信手段と、前記表示装置に対して情報を送信する第二の送信手段と、放送波から番組の番組情報を抽出する第二の番組情報抽出手段と、前記第二の番組情報抽出手段から抽出された番組情報により電子番組表を作成する電子番組表作成手段と、受信した前記識別情報で識別される番組の番組欄と前記識別情報が受信されていない番組の番組欄との表示方法を変える制御手段と、前記端末装置において前記電子番組表の番組情報に基づく予約情報または前記第一の番組予約手段の予約情報を表示して番組予約を行う第二の番組予約手段と、前記電子番組表を表示する番組表表示手段と、認証情報を生成する第二の機器認証手段とを備え、前記第二の送信手段は前記認証情報を前記表示装置に送信し、前記第一の受信手段は前記認証情報を受信し、前記第一の機器認証手段は、前記認証情報により前記端末装置を認証し、前記第二の受信手段は、前記認証が成功した場合に、前記識別情報または前記第一の番組予約手段による前記予約情報を受信し、前記第二の番組予約手段は、前記認証が成功しなかった場合に、前記第二の番組予約手段による前記番組予約の内容を記憶手段に一時保存し、前記番組予約の内容を前記記憶手段に一時保存した後、前記認証が成功した場合に、前記記憶手段に保存された前記番組予約を前記第一の番組予約手段による番組予約として登録する手段を備えることを特徴とする。
【発明の効果】
【０００９】
本発明によれば、視聴者がテレビ放送を視聴しているときに、他の端末装置で番組表を表示することにより、テレビの視聴を妨げないで放送番組に関連する情報を表示することができる。
【００１０】
上記した以外の課題、構成及び効果は、以下の実施形態の説明により明らかにされる。
【図面の簡単な説明】
【００１１】
【図１】第一の実施形態に係るネットワーク端末システムの一実施例を示すブロック図である。
【図２】番組状態情報のデータ形式の一例を示す図である。
【図３】図２の番組状態情報の属性１０４の詳細の一例を示す図である。
【図４】ＥＰＧに固有の識別表示を行うための動作シーケンスの一例を示す図である。
【図５】テレビ受信機１にＥＰＧを表示したときの画面表示の一例を示す図である。
【図６】無線端末１５に表示されるＥＰＧの画面表示の一例を示す図である。
【図７】第二の実施形態に係る無線端末１５に表示されるＥＰＧの画面表示の一例を示す図である。
【図８】無線端末１５に表示されるＥＰＧ起動時の画面表示の一例を示す図である。
【図９】第三の実施形態に係るネットワーク端末システムの一実施例を示すブロック構成図である。
【図１０】予約情報のデータ形式の一例を示す図である。
【図１１】予約情報のデータ形式の一変形例を示す図である。
【図１２】ＥＰＧによる番組予約時の動作シーケンスの一例を示す図である。
【図１３】図６で録画予約マーク１１０の付いた番組を選択したときの予約設定画面２０３の表示例を示す図である。
【図１４】予約詳細設定画面２０６の表示例を示す図である。
【図１５】図５で放送中の番組を選択したときの予約設定画面２０８の表示例である。
【図１６】第四の実施形態に係るネットワーク端末システムの一実施例を示すブロック構成図である。
【図１７】図５のＥＰＧ画面で番組２１０を選択したときのＥＰＧ画面の表示例である。
【図１８】現在認証されている接続機器の予約設定画面２１３の表示例を示す図である。
【図１９】現在認証されていない接続機器の予約設定画面２１４の表示例を示す図である。
【図２０】現在認証されていない接続機器の予約詳細設定画面２１５の表示例を示す図である。
【図２１】第五の実施形態に係るネットワーク端末システムのチャンネル配列情報の一例を示す図である。
【発明を実施するための形態】
【００１２】
以下、本発明の実施形態について、図面を参照しながら説明する。
【実施例１】
【００１３】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置から構成されるネットワーク端末システムを例にして説明を行なう。
【００１４】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ：Elementary Stream）に対して、イベント情報としての番組配列情報をヘッダとして付加した ＴＳパケットで構成されている。
【００１５】
番組配列情報のデータ構造は、ＡＲＩＢ標準規格であるARIB STD-B10「デジタル放送に使用する番組配列情報標準規格」に従ったものである。番組配列情報は、ＭＰＥＧ（Moving Picture Expert Group）−２システム規格で規定された伝送制御情報であるＰＳＩ（Program Specific Information：番組特定情報）と、ＥＰＧなどを構築するためのＳＩ（Service Information：サービス情報）とで構成される。
【００１６】
ＳＩは、ＢＩＴ（Broadcaster Information Table：放送局情報テーブル）、ＳＤＴ（Service Description Table：サービス記述テーブル）、ＥＩＴ（Event Information Table：イベント情報テーブル）およびＴＯＴ（Time Offset Table：時刻オフセットテーブル）の４つのテーブルで構成されている。
【００１７】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ ＩＤ（Identifier）とを含んでいる。
【００１８】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。
【００１９】
ＥＩＴは、イベント(いわゆる番組)ごとの番組情報を記述したものであり、サービス情報部とイベント情報部に分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称(いわゆる番組タイトル)、イベントのジャンルなどを含んでいる。ＴＯＴは、現在時刻を記述したものである。
【００２０】
以下、本発明に係る第一の実施形態を、図１から図６を用いて説明する。
【００２１】
図１は、第一の実施形態に係るネットワーク端末システムの一実施例を示すブロック構成図である。
本実施例のネットワーク端末システムは、例えば、テレビ受信機１、無線端末１５、無線ルーター１３、外部ネットワーク１４から構成される。図示の例は、情報通信端末としての携帯電話機等の移動体通信端末である無線端末１５の利用者が、その無線端末１５を持って家庭や店舗等で、テレビ受信機１でテレビ番組を視聴しているときの例である。
【００２２】
テレビ受信機１は、チューナ２、信号分離部３、システム制御部４、選局制御部５、入力手段６、番組予約データ７、記憶装置８、ＥＰＧ作成部９、映像出力部１０、表示部１１、ネットワーク制御部１２から構成される。
【００２３】
無線端末１５は、無線ネットワーク／通信制御部１６、システム制御部１７、ＥＰＧ作成部１８、表示部１９、入力手段２０、信号分離部２１、チューナ２２から構成される。
【００２４】
無線ルーター１３は、Ｗｉ−Ｆｉなどの無線ＬＡＮ機能を備え、通信回線を経由して外部ネットワークに接続できる。また、無線ルーター１３は、テレビ受信機１、テレビ受信機２４、無線端末１５、外部ネットワーク１４と接続されており、テレビ受信機１、テレビ受信機２４または無線端末１５は、インターネット網から情報を入手することができる。
【００２５】
テレビ受信機２４の各部の構成は、テレビ受信機１と同様のため、ここでは説明を省略する。また、無線ルーター１３は、テレビ受信機１または２４テレビ受信機とは、有線ＬＡＮまたは無線ＬＡＮで接続されており、無線端末１５とは無線ＬＡＮで接続されているものとする。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
【００２６】
チューナ２は、選局制御部５により、所望のサービスのチャンネルに同調することで、放送局より受信した電波より放送番組データを取得する部分である。
信号分離部３は、受信した放送データを、映像データ、音声データ、字幕文データに種類ごとに分離し、また番組情報を抽出して番組配列情報ＳＩを取得し、他の処理ブロックに渡す機能を有する。また、他の処理部からデータ送信要求があった場合には、指定されたデータを、要求元へデータを送信する。
【００２７】
システム制御部４は、ユーザーの操作要求を入力手段６を経由して受け取り、信号分離部３、選局制御部５、記憶装置８、ＥＰＧ作成部９、映像出力部１０、ネットワーク制御部１２の各ブロックを制御する。また、信号分離部３から分離された番組配列情報のＳＩをＥＰＧ作成部９に渡す機能を有する。
【００２８】
選局制御部５は、入力手段６を経由してサービスを選局する指示を受け、指示に応じて選局するチャンネルを切り替えるようにチューナ２を制御する。また、選局制御部５は、ＥＰＧ作成部９またはＥＰＧ作成部１８からの指示を受けとることができ、現在放送中のイベント（番組）を放送しているサービス（チャンネル番号）およびそのサービスが属する放送提示単位に切り替えるようにチューナ２を制御する。
【００２９】
入力手段６は、ユーザーからのテレビ受信機１に対する操作を受け付け、入力操作に関する制御情報を入力する入力手段であり、例えば、リモコン、キーボード、マウス等のポインティングデバイス等により実現される。
記憶装置８は、システム制御部４の指示により制御され、入力手段６によりＥＰＧ作成部９で作成されたＥＰＧで録画予約などの番組予約した予約情報を番組予約データ７に保存する。
【００３０】
ＥＰＧ作成部９は、番組配列情報のＳＩに含まれるＥＩＴに基づき、ＥＰＧ画面を作成する。ＥＰＧ画面は、対応する放送単位に属する複数のサービス一覧と、複数のイベント一覧を表示するものである。
【００３１】
ここで、放送単位は、ＢＳデジタル放送、ＣＳデジタル放送および地上デジタル放送を示しており、本実施例では、ＥＰＧ作成部１８は、ＢＳデジタル放送、ＣＳデジタル放送および地上デジタル放送のいずれかを切り換えて作成するようになっている。また、横方向にサービスＩＤ（チャンネル番号）ごとにイベント情報（番組）を配列させ、縦方向に時間軸として時間順にイベント情報を配列させたマトリクス状のＥＰＧである。
【００３２】
ＥＰＧ作成部９は、一つの放送単位で利用可能な全てのサービスに関するＥＰＧの少なくとも一部のサービスに対応する部分を表示部１１に表示させるようにＥＰＧの画像信号を作成する。ＥＰＧ作成部９は、作成したＥＰＧ画面の画像信号を映像出力部１０に送る。
【００３３】
映像出力部１０は、信号分離部３から分離された映像データおよび音声データを、システム制御部５によりそれぞれ映像信号および音声信号に変換された信号を受けて、表示部１１へ映像および音声を出力する。また、映像出力部は、ＥＰＧ作成部９で作成されたＥＰＧ画像と映像信号を合成する。
【００３４】
表示部１１は、映像またはＥＰＧ画像の表示を行なう部分であり、視聴しているチャンネル等の映像やＥＰＧの表示を行なう。また、表示部１１は、例えばテレビやパソコンのディスプレイあるいは液晶パネル等によって構成される。
【００３５】
ネットワーク制御部１２は、有線ＬＡＮまたは無線ＬＡＮにより無線ルータ１３に接続され、ＥＰＧ作成部９を経由して得られた番組配列情報ＳＩに含まれる特定番組のネットワークＩＤ（いわゆる放送）と、サービスＩＤ（いわゆるチャンネル番号）と、イベントＩＤ（いわゆる番組）とを識別情報とし、識別情報と識別情報が示す番組の属性を番組の番組状態情報として、無線ネットワーク／通信制御部１６へ送信する。
【００３６】
無線ネットワーク／通信制御部１６は、ネットワーク制御部１２から出力された番組状態情報を取得し、システム制御部１７に渡す。また、無線ネットワーク／通信制御部１６は、基地局２３を通して通信ネットワークに接続され、データ通信等を行なうことができる。
【００３７】
システム制御部１７は、ユーザーの操作要求を入力手段２０を経由して受け取り、信号分離部２１、ＥＰＧ作成部１８、表示部１９、無線ネットワーク／通信制御部１６の各ブロックを制御する。また、システム制御部１７は、信号分離部２１から分離された番組配列情報ＳＩをＥＰＧ作成部１８に渡す機能を有する。
【００３８】
さらに、システム制御部１７は、無線ネットワーク／通信制御部１６を経由して、外部ネットワーク１４または基地局２３を通して通信ネットワークからも番組情報を抽出し番組配列情報を取得でき、ＥＰＧ作成部１８に渡す機能も有する。本実施では、信号分離部２１でデジタル放送の番組情報を抽出し番組配列情報ＳＩを取得する場合の例について説明する。
【００３９】
ＥＰＧ作成部１８は、番組配列情報ＳＩに含まれるＥＩＴに基づき、ＥＰＧ画面を作成する。このＥＰＧは、対応する放送単位に属する複数のサービス一覧と、複数のイベント一覧を表示部１９に表示するものであり、ＥＰＧ作成部９と同等の働きを持つ。
表示部１９は、ＥＰＧ画像等の表示を行なう部分であり、例えばタッチパネル等によって構成される。
【００４０】
入力手段２０は、ユーザーからの無線端末１５に対する操作を受け付け、入力操作に関する制御情報を入力する入力手段であり、例えば、タッチパネルなどを用いることができる。
信号分離部２１、チューナ２２は、それぞれテレビ受信機１の信号分離部３、チューナ２と同等の働きを持つ。
【００４１】
次に、図２、図３を用いて本実施形態のネットワーク端末システムに関連するデータ形式について説明する。
【００４２】
図２は、番組状態情報のデータ形式の一例を示す図である。
番組状態情報は、図２に示されるように、ネットワークＩＤ１０１、サービスＩＤ１０２、イベントＩＤ１０３および属性１０４の形式で構成される。
【００４３】
図３には、図２の番組状態情報の属性１０４の詳細の一例を示す図である。属性１０４は、テレビ受信機１の視聴または予約等の番組状態１０５を示す。ここで、「０」は、現在テレビ受信機で視聴中の番組、「１」は、録画予約されている番組、「２」は、視聴予約されている番組、「３」は、現在の時刻に放送中の番組、「４」は、お好み自動録画予約されている番組であることを示している。
【００４４】
次に、図１、図２、図３および図４を用い、入力手段２０がユーザーからの操作を受け無線端末１５がＥＰＧを起動する場合の例について説明する。
【００４５】
図４は、ＥＰＧに固有の識別表示を行うための動作シーケンスの一例を示す図である。
システム制御部１７は、入力手段２０によりＥＰＧ起動の指令を受けると（Ｓ４０１）、信号分離部２１から分離された番組配列情報ＳＩをＥＰＧ作成部１８に渡す。ＥＰＧ作成部１８は、番組配列情報ＳＩに含まれるＥＩＴに基づきＥＰＧ画面を作成し（Ｓ４０２）、表示部１９にＥＰＧを表示する。また、システム制御部１７は、テレビ受信機１に対して、番組状態情報の送信を要求する（Ｓ４０３）。
【００４６】
システム制御部４は、現在視聴中の番組および番組予約のある番組のネットワークＩＤ、サービスＩＤ、イベントＩＤ情報とその属性を番組の番組状態情報として無線端末１５の無線ネットワーク／通信制御部１６を経由してシステム制御部１７に送信する。システム制御部１７は、システム制御部４から送信された番組状態情報を受信し（Ｓ４０４）、信号分離部２１から分離された番組配列情報の番組のうち、ネットワークＩＤ、サービスＩＤおよびイベントＩＤが、受信した番組状態情報のネットワークＩＤ１０１、サービスＩＤ１０２およびイベントＩＤ１０３と一致する番組があった場合は（Ｓ４０５：ＹＥＳ）、受信した番組状態情報に含まれるその番組の属性１０４に応じてＥＰＧ作成部１８により、図５に示すようにその番組に対して固有の識別表示を行なう。
【００４７】
図５は、テレビ受信機１にＥＰＧを表示したときの画面表示の一例を示す図である。マーク１０６またはマーク１０７は、それぞれ視聴予約または録画予約を示すマークであり、ＥＰＧに表示される番組の予約状態が判別できるようになっている。また、四角枠１０８は、現在視聴中の番組を示すものである。本実施例の説明では、図５は無線端末１５に表示されるＥＰＧの画面と対比して説明するためのものであり、操作および操作の説明は省略する。
【００４８】
図６は、無線端末１５に表示されるＥＰＧの画面表示の一例を示す図である。マーク１０９またはマーク１１０は、それぞれ、図５のマーク１０６またはマーク１０７に対応している。また、四角枠１１１は、図５の四角枠１０８に対応している。本実施例では、テレビ受信機１と無線端末１５で、固有の識別表示例として同じマーク形状または枠形状を使用しているが、それぞれで異なる形状にしても構わない。また、マークの表示、枠線の形態を変化させる他に、枠内に色を付す、番組名のフォントを変えるなど、属性１０４を有さない番組と属性１０４を有する番組とを区別可能に表示すればよい。
【００４９】
このように、図５に示すテレビ受信機１に表示されるＥＰＧと図６に示す無線端末１５に表示されるＥＰＧは、表示できる画面の表示能力（表示アスペクト、表示画素数等）により、マトリクス状に配列されたイベント情報（番組）は、その配列が異なる場合がある。
【００５０】
またＥＰＧの表示領域により同時に表示できるサービスＩＤ（チャンネル番号）およびイベント情報（番組）の数がテレビ受信機１と無線端末１５とで異なる場合があり、本実施例では、横方向のサービスＩＤ（チャンネル番号）と縦方向の時間軸表示は、テレビ受信機１ではそれぞれ５チャンネル、３時間表示となっていて、無線端末１５ではそれぞれ３チャンネル、４時間表示となっているが、ＴＶ１と無線端末１５に表示される視聴または予約している番組の情報が共有されているため、ユーザーは、テレビ受信機のＥＰＧと無線端末のＥＰＧの両方を見比べることなく、視聴または予約している番組をユーザーが認識することが可能となる。
【実施例２】
【００５１】
以下、本発明に係る第二の実施形態を、図１、図７および図８を用いて説明する。
なお、本実施形態では、第一の実施形態と比較し、異なるところを強調して説明する。
本実施形態でのネットワーク端末システムは、第一の実施形態における図１と同様に、テレビ受信機１、無線端末１５、無線ルーター１３、外部ネットワーク１４から構成される。ここで、テレビ受信機１、無線端末１５の各部の構成については、第一の実施形態と同じため説明を省略する。
【００５２】
図７は、本実施形態での無線端末１５に表示されるＥＰＧの画面表示の一例を示す図である。
本実施形態のシステム制御部１７は、信号分離部２１から分離された番組配列情報の番組のうち、ネットワークＩＤ、サービスＩＤおよびイベントＩＤが、受信した番組状態情報のネットワークＩＤ１０１、サービスＩＤ１０２およびイベントＩＤ１０３と一致する番組があった場合で、その属性１０４が「現在放送中」である番組が含まれるサービスＩＤがあった場合は、ＥＰＧ作成部１８により作成されるＥＰＧのイベントＩＤ（番組）を含むサービスＩＤ（チャンネル番号または放送局）が、他のサービスＩＤ（チャンネル番号または放送局）よりも優先的にＥＰＧ表示の中央に配列されるように表示部１９に表示する。
【００５３】
本実施例では、ＥＰＧは横方向にサービスＩＤ（チャンネル番号または放送局）ごとにイベント（番組）を配置しているが、現在放送中の番組１１１（女神の市場）が含まれるサービスＩＤ（放送局：東テレ）の番組１１２を、他のサービスＩＤ（放送局）よりも優先してＥＰＧ表示の中央に配列するように表示される。ＥＰＧ画面の横方向に偶数局が配列される場合は、例えば４局表示のような場合は、左から２番目または３番目の中央寄りに配列しても良い。
【００５４】
図８は、本実施形態での無線端末１５に表示されるＥＰＧ起動時の画面表示の別の一実施例を示す図である。
信号分離部２１から分離された番組配列情報の番組のネットワークＩＤ、サービスＩＤおよびイベントＩＤが番組状態情報のネットワークＩＤ１０１、サービスＩＤ１０２およびイベントＩＤ１０３と一致する番組があり、その属性１０４が現在視聴中の番組の番組であった場合は、その番組の番組詳細を起動時の初期表示として表示する。
【００５５】
図８の例では、番組１１１（女神の市場）が現在視聴中の番組であるので、この番組の番組詳細が起動時の初期表示として表示される。
このように、現在テレビ受信機で視聴中の番組をＥＰＧの中央に優先的に配列することにより、現在視聴しているチャンネルの番組情報の確認を行うことができ、今後の放送予定または前後のチャンネルの放送番組も現在視聴中の番組またはチャンネルを中心にして見たい番組を探したり、番組予約することができる。
【実施例３】
【００５６】
以下、本発明に係る第三の実施形態を、図６、図９〜図１５を用いて説明する。
なお、本実施形態では、第一の実施形態と比較し、異なるところを強調して説明する。
【００５７】
図９は、第三の実施形態に係るネットワーク端末システムの一実施例を示すブロック構成図である。
本実施形態でのネットワーク端末システムは、第一の実施形態における図１と同様に、テレビ受信機１、無線端末１５、無線ルーター１３、外部ネットワーク１４から構成される。
【００５８】
テレビ受信機１は、チューナ２、信号分離部３、システム制御部４、選局制御部５、入力手段６、番組予約データ７、記憶装置８、ＥＰＧ作成部９、映像出力部１０、表示部１１、ネットワーク制御部１２から構成される。
【００５９】
無線端末１５は、無線ネットワーク／通信制御部１６、システム制御部１７、ＥＰＧ作成部１８、表示部１９、入力手段２０、信号分離部２１、チューナ２２、記憶装置２５、番組予約データ２６から構成される。
【００６０】
本実施形態においては、第一の実施形態に対して、無線端末１５には、記憶装置２５および録画番組データ２６を有する。
記憶装置２５は、システム制御部１７の指示により制御され、入力手段２０によりＥＰＧ作成部９で作成されたＥＰＧで録画予約などの番組予約した予約情報を番組予約データ２６に一時的に保存する。また、システム制御部４からネットワーク制御部１２、無線ネットワーク／通信制御部１６を経由して受け取った予約情報を番組予約データ２６に一時的に保存する。
【００６１】
システム制御部１７は、入力手段２０によりＥＰＧ作成部１８で作成されたＥＰＧで番組予約された録画予約などの予約情報を一時的に番組予約データ２６に保存する。また、システム制御部４からネットワーク制御部１２、無線ネットワーク／通信制御部１６を経由して受け取った予約情報を一時的に番組予約データ２６に保存する機能を有する。さらに、番組予約データ２６に保存された予約情報を無線ネットワーク／通信制御部１６、ネットワーク制御部１２を経由して、システム制御部４に送信することができる。
【００６２】
システム制御部４は、入力手段６によりＥＰＧ作成部９で作成されたＥＰＧで番組予約された録画予約などの予約情報を番組予約データ７に保存する。また、記憶装置２５に一時的に保存された番組予約データ２６の予約情報を無線ネットワーク／通信制御部１６、ネットワーク制御部１２を経由して受け取り、番組予約データ７に保存または上書き保存する機能を有する。さらに、システム制御部１７の要求により、記憶装置８の番組予約データ７に保存された予約情報をネットワーク制御部１２、無線ネットワーク／通信制御部１６を経由して、システム制御部１７に送信することができる。
【００６３】
次に、図１０および図１１を用いて本実施形態のネットワーク端末システムに関連するデータ形式について説明する。
【００６４】
図１０は、予約情報のデータ形式を一例を示す図である。
予約情報は、図１０に示されるように、番組名２０１、日付、時刻、チャンネル２０２、録画モード、視聴／録画のデータから構成される。
【００６５】
図１１は、予約情報のデータ形式の一変形例を示す図である。
図１１の予約情報のデータ形式は、図１０に比べて番組名２０１が無いが、この番組名などチャンネル２０２以外の番組に付随する情報は、無線端末１５のＥＰＧ作成部１８より作成されたＥＰＧ画面の番組情報を用いることもできる。このようにすることにより、テレビ受信機１と無線端末１５間の通信データの量を低減できることと、外部ネットワークまたは通信ネットワークから番組配列情報を入手できる場合は、番組情報量が多く詳細な表示が可能となる場合にも対応できる。
【００６６】
次に、図６、図９、図１２〜図１５を用いて、ユーザーが無線端末１５のＥＰＧを起動して番組予約をする場合の例について説明する。
【００６７】
第一の実施形態と同様に、システム制御部１７は、入力手段２０によりＥＰＧ起動の指令を受けると、信号分離部２１から分離された番組配列情報ＳＩをＥＰＧ作成部１８に渡す。ＥＰＧ作成部１８は、番組配列情報ＳＩに含まれるＥＩＴに基づきＥＰＧ画面を作成し、表示部１９にＥＰＧを表示する。また、システム制御部１７は、テレビ受信機１のシステム制御部４に対して、番組状態情報の送信を要求する。
【００６８】
テレビ受信機１のシステム制御部４は、現在視聴中の番組、番組予約のある番組等のネットワークＩＤ、サービスＩＤ、イベントＩＤ情報とその属性を番組の番組状態情報として無線端末１５の無線ネットワーク／通信制御部１６を経由してシステム制御部１７に送信する。システム制御部１７は、信号分離部２１から分離された番組配列情報の番組のうち、ネットワークＩＤ、サービスＩＤおよびイベントＩＤが、それぞれ受信した番組状態情報のネットワークＩＤ、サービスＩＤおよびイベントＩＤと一致する番組があった場合は、その属性に応じてＥＰＧ作成部１８により、その番組に対して第一の実施形態の図５のように視聴予約および録画予約を示すマークを表示する。
次に、入力手段２０により、番組予約マークの付いた番組を選択した場合について説明する。
【００６９】
図１２には、ＥＰＧによる番組予約時の動作シーケンスの一例を示す図である。
ＥＰＧ表示に識別マークを表示するまでの処理（Ｓ４０５）までは、図４の説明と同様であるため省略する。ＥＰＧ表示に識別マークを表示した後、入力手段２０によりＥＰＧ画面の番組を選択し（Ｓ１２０１）、その番組が録画予約マーク付きの場合は（Ｓ１２０２：ＹＥＳ）、システム制御部１７は、システム制御部４に対して予約情報の送信を要求する（Ｓ１２０３）。システム制御部１７は、システム制御部４から送信された予約情報を受信し（Ｓ１２０４）、図１３に示すように予約設定画面を表示する（Ｓ１２０５）。
【００７０】
図１３は、図６で録画予約マーク１１０の付いた番組を選択したときの予約設定画面２０３の表示例を示す図である。
図１４は、予約詳細設定画面２０６の表示例を示す図である。
図６において、録画予約マーク１１０の付いた番組「ヒラメキパーツ」を選択すると、図１３のように予約設定画面２０３が表示される。録画予約マークの付いた番組は、テレビ受信機１ですでに予約されている番組であるので、無線端末１５のシステム制御部１７は、図１２の手順によりテレビ受信機１から予約情報を取得し、記憶装置２５の番組予約データ２６に一時保存する。
【００７１】
システム制御部１７は、番組予約データ２６に一時保存された予約情報を元にＥＰＧ作成部１８を経由して表示部１９に、図１３に示す予約設定画面２０３を表示する。予約設定画面２０３は、録画モードや視聴／録画の区別を設定するための図１４の予約詳細設定画面２０６に移行するための「予約ボタン」２０４を備える。
図１４の「予約するボタン」２０７は、予約詳細設定画面２０６で設定変更等を行った後に予約を再登録するためのボタンである。「予約するボタン」２０７を選択すると、システム制御部１７は予約設定状態を予約情報として、無線ネットワーク／通信制御部１６を経由して、テレビ受信機１のシステム制御部４により、記憶装置８の番組予約データ７に予約情報を上書き保存する。
次に、入力手段２０により、番組予約マークの付いていない番組を選択した場合について説明する。
【００７２】
番組予約マークの付いていない番組は、テレビ受信機１で予約されていない番組であるので、無線端末１５のシステム制御部１７は、ＥＰＧ作成部１８で作成されたＥＰＧ画面の番組情報を元に予約情報を作成し、番組予約データ２６に一時保存し、そのデータを無線ネットワーク／通信制御部１６を経由して、テレビ受信機１のシステム制御部４により、記憶装置８の番組予約データ７に予約情報を新規保存する。
次に、入力手段２０により、現在放送中の番組を選択した場合について説明する。
【００７３】
図１５は、図６で放送中の番組を選択したときの予約設定画面２０８の表示例である。図１３と異なる箇所は、「選局ボタン」２０９が追加されていることである。「選局ボタン」は、現在放送中の番組を選択したときに表示されるもので、このボタンを選択することにより、選局情報を上記予約情報と同様にシステム制御部４に送信し、システム制御部４は、選局制御部５を経由してチューナ２を制御し、選択された放送中の番組を表示部１１に表示するようにできる。
【００７４】
ここで、選局情報の一例としては、サービスＩＤ（チャンネル番号）から構成される。
このように、無線端末側でテレビ受信機の番組予約を新規に登録したり、予約済みの番組予約の変更も簡単に行うことができ、さらに無線端末およびテレビ受信機間のデータ通信量も抑えることができる。
【実施例４】
【００７５】
以下、本発明に係る第四の実施形態を、図１６〜図２０を用いて説明する。
なお、本実施形態では、第三の実施形態と比較し、異なるところを強調して説明する。
【００７６】
図１６は、第四の実施形態に係るネットワーク端末システムの一実施例を示すブロック構成図である。
本実施形態でのネットワーク端末システムは、第三の実施形態における図１と同様に、テレビ受信機１、無線端末１５、無線ルーター１３、外部ネットワーク１４から構成される。
【００７７】
テレビ受信機１は、チューナ２、信号分離部３、システム制御部４、選局制御部５、入力手段６、番組予約データ７、記憶装置８、ＥＰＧ作成部９、映像出力部１０、表示部１１、ネットワーク制御部１２、機器認証部２７から構成される。
【００７８】
無線端末１５は、無線ネットワーク／通信制御部１６、システム制御部１７、ＥＰＧ作成部１８、表示部１９、入力手段２０、信号分離部２１、チューナ２２、記憶装置２５、番組予約データ２６、機器認証部２８から構成される。
【００７９】
本実施形態においては、第三の実施形態に対して、テレビ受信機１、無線端末１５には、それぞれ機器認証部２７、機器認証部２８を有する。
機器認証部２８は、システム制御１７により制御され、テレビ受信機１からの認証を受けるために、テレビ受信機１に事前に設定されたユーザー、パスワードなどの認証情報を無線ネットワーク／通信制御部１６、ネットワーク制御部１２を経由して、機器認証部２７に対して送信する。
【００８０】
機器認証部２７は、機器認証部２８からの認証情報が正しい認証情報である場合は、機器認証部２８に対して接続を許可する。一方、認証情報が誤っている場合には、機器認証部２７は機器認証部２８に対して接続を許可しない。
次に、入力手段２０により、表示部１９のＥＰＧ画面に表示された番組表から番組予約を行う場合について説明する。
入力手段２０により、表示部１９に図１７に示すＥＰＧ画面が表示される。
【００８１】
図１７は、図６のＥＰＧ画面で番組２１０を選択したときのＥＰＧ画面の表示例である。番組２１０は、本実施例では選択箇所を示し、破線の四角枠で囲まれている。
【００８２】
システム制御部１７は、テレビ受信機１に対して機器認証を行い、正しい認証情報である場合は、表示部１９のＥＰＧ画面に認証機器表示２１１または２１２を表示する。図１７のＥＰＧ画面では、認証機器表示２１１、２１２は、それぞれテレビ受信機１、テレビ受信機２４が認証または過去に認証されている状態を示しており、本実施例ではテレビ受信機１が現在認証（実線枠）されており、テレビ受信器２４が過去に認証（破線枠）されたことを示しており、認証履歴も同時に表示される。
【００８３】
図１８は、現在認証されている接続機器の予約設定画面２１３の表示例を示す図である。図１７において、番組２１０「水曜プレミアム」を選択すると、図１８のように予約設定画面２１３が表示され、第三の実施形態と同様に番組予約ができる。予約動作については、第三の実施形態と同様であり詳細な説明は省略する。
次に、過去に接続したことがあるが現在認証できていないテレビ受信機２４の場合について説明する。このような例は、接続機器がＷｉ−Ｆｉ通信できない離れたところにある場合やスリープモードで待機している場合、または屋外で通信ネットワークから番組情報を入手しているようなケースを想定している。
【００８４】
図１７では、テレビ受信機２４の認証表示２１２が破線枠で表示され、過去に認証（破線枠）されていることを示している。現在認証されている接続機器は、デフォルトで選択されているため、通常は接続機器を選択する必要はないが、認証されていない接続機器の場合は、予約に先立ち接続機器を選択する必要がある。
【００８５】
図１９は、現在認証されていない接続機器の予約設定画面２１３の表示例を示す図である。図２０は、現在認証されていない接続機器の予約詳細設定画面２１４の表示例を示す図である。
【００８６】
図１７において、上述のように番組２１０「水曜プレミアム」を選択すると、図１９のように予約設定画面２１４が表示され、「予約ボタン」２０４を選択すると図２０のように詳細設定画面２１５が表示される。
ここで、図２０の「予約するボタン」２０７を選択すると、接続機器が認証されていないために予約情報を一時的に記憶装置２５の番組予約データ２６に一時的に保存して予約操作が終了する。
【００８７】
その後、無線端末１５がＷｉ−Ｆｉ通信エリア外からエリア内に入った場合などアクセス可能になった場合に、テレビ受信機２４の機器認証部２７と無線端末１５の機器認証部２８が相互認証を行い、システム制御部１７は番組予約データ２６に保存されている予約情報を通信制御部１６を介してテレビ受信機２４に送信し、テレビ受信機２４の番組予約データ７に番組予約として保存される。また、番組予約データ２６に保存されている予約情報の開始時刻が現在時刻より過去の時間であったり、過去の予約情報であった場合は、テレビ受信機２４に予約データを送信する前にエラー情報を表示部１９に表示することもできる。
【００８８】
本実施例では、２台のテレビ受信機の接続を例に説明しているが、ネットワークに複数台接続することを何ら制限するものではない。また、テレビ受信機２４が認証可能になった場合は、自動的に番組予約データ２６に保存された予約情報をテレビ受信機２４に送信されるような例で説明したが、テレビ受信機２４が認証可能になった時点で手動により予約情報を送信するようにしても良い。さらに、予約情報を一時的に番組予約データ２６に保存されているときは、その状態を表すために、アイコンなどにより一時保存状態を表示できるようにしても良い。
【００８９】
このように、屋外で通信ネットワークから番組情報を取得してＥＰＧ画面上で番組を検索している場合などのように、録画したい番組を見つけた場合にその場で予約を入れておくことができ、帰宅してから家庭内のネットワークに接続できる状態になったときに、自動的に（または手動で）テレビ受信機に忘れずに番組予約転送ができる。
【実施例５】
【００９０】
以下、本発明に係る第五の実施形態を、図１を用いて説明する。
なお、本実施形態では、第一の実施形態と比較し、異なるところを強調して説明する。
本実施形態でのネットワーク端末システムは、第一の実施形態における図１と同様に、テレビ受信機１、無線端末１５、無線ルータ１３、外部ネットワーク１４から構成される。
ここで、テレビ受信機１、無線端末１５の各部の構成については、第一の実施形態と同じため説明を省略する。
【００９１】
ＥＰＧ作成部９は、横方向にサービスＩＤ（チャンネル番号）ごとにイベント情報（番組）を配列させ、縦方向に時間軸として時間順にイベント情報を配列させたマトリクス状のＥＰＧを作成する。
【００９２】
図２１は、チャンネル配列情報の一例を示す図である。チャンネル配列は、アナログ放送のチャンネル順にデジタル放送を並べる方法や、デジタル放送のサービスＩＤ(チャンネル番号)順に並べる方法がある。図２１−（ａ）は、前者であり、図２１−（ｂ）は後者の例である。
【００９３】
システム制御部４は、ＥＰＧ作成部９により作成されたＥＰＧ画面から横方向のサービスＩＤ（チャンネル番号）のチャンネル配列情報を取得する。このチャンネル配列情報は、ネットワーク制御部１２、無線ルーター１３、無線ネットワーク／通信制御部１６を経由して、システム制御部１７に送信される。システム制御部１７は、受信したチャンネル配列情報をＥＰＧ作成部１８に渡し、テレビ受信機１のＥＰＧと同じチャンネル配列情報で表示部１９にＥＰＧ画面を表示する。
【００９４】
第一の実施形態の図５および図６が、それぞれ本実施形態におけるテレビ受信機１および無線端末１５のＥＰＧのチャンネル配列を示している。
このように、チャンネル配置がテレビ受信機または無線端末で異なっている場合でも、ＥＰＧ画面でのチャンネル配列が同じになるため、同じような感覚でＥＰＧ画面を操作でき使い勝手が向上する。
【実施例６】
【００９５】
以下、本発明に係る第六の実施形態を、図９、図１３および図１４を用いて説明する。
なお、本実施形態では、第三の実施形態と比較し、異なるところを強調して説明する。
本実施形態でのネットワーク端末システムは、第三の実施形態における図９と同様に、テレビ受信機１、無線端末１５、無線ルータ１３、外部ネットワーク１４から構成される。
ここで、テレビ受信機１、無線端末１５の各部の構成については、第三の実施形態と同じため説明を省略する。
【００９６】
本実施形態においては、システム制御部４は、ＥＰＧ作成部９で作成されたＥＰＧのＥＰＧデータおよび番組の番組状態情報を、無線ネットワーク／通信制御部１６を経由してシステム制御部１７に送信する機能を有する。また、システム制御部１７は、受信したＥＰＧデータによりＥＰＧ作成部１８でＥＰＧ画面を作成し、表示部１９にＥＰＧ画面および番組の番組状態情報を表示する機能を有する。
【００９７】
システム制御部１７は、ＥＰＧ作成部１８で作成されたＥＰＧで番組予約された録画予約などの予約情報を一時的に番組予約データ２６に保存し、保存された予約情報を無線ネットワーク／通信制御部１６、ネットワーク制御部１２を経由して、システム制御部４に送信することができる。
このように、テレビ受信機からＥＰＧデータを取得することにより、第三の実施形態における図１３、図１４と同様に番組予約を行うことができる。
【００９８】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００９９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１００】
また、制御線や情報線は説明上必要と考えられるものを示しており、製品上必ずしも全ての制御線や情報線を示しているとは限らない。実際には殆ど全ての構成が相互に接続されていると考えてもよい。
【０１０１】
また、上記実施例では、表示部１１を備えたＴＶ１、ＴＶ２等を用いて実施例の説明を行ったが、表示部を外部に備えたレコーダ等によっても同様にして本発明を実施することができる。
【符号の説明】
【０１０２】
１  テレビ受信機
２  チューナ
３  信号分離部
４  システム制御部
５  選局制御部
６  入力手段
７  番組予約データ
８  記憶装置
９  ＥＰＧ作成部
１０  映像出力部
１１  表示部
１２  ネットワーク制御部
１３  無線ルーター
１４  外部ネットワーク
１５  無線端末
１６  無線ネットワーク／通信制御部
１７  システム制御部
１８  ＥＰＧ作成部
１９  表示部
２０  入力手段
２１  信号分離部
２２  チューナ
２４  テレビ受信機
２５  記憶装置
２６  番組予約データ
２７  機器認証部
２８  機器認証部
【図１】
0005711066.tif 000002
【図２】
0005711066.tif 000003
【図３】
0005711066.tif 000004
【図４】
0005711066.tif 000005
【図５】
0005711066.tif 000006
【図６】
0005711066.tif 000007
【図７】
0005711066.tif 000008
【図８】
0005711066.tif 000009
【図９】
0005711066.tif 000010
【図１０】
0005711066.tif 000011
【図１１】
0005711066.tif 000012
【図１２】
0005711066.tif 000013
【図１３】
0005711066.tif 000014
【図１４】
0005711066.tif 000015
【図１５】
0005711066.tif 000016
【図１６】
0005711066.tif 000017
【図１７】
0005711066.tif 000018
【図１８】
0005711066.tif 000019
【図１９】
0005711066.tif 000020
【図２０】
0005711066.tif 000021
【図２１】
0005711066.tif 000022